(57)【要約】      （修正有）【課題】かつらをより安定して頭部に固定することができるかつら用留め具を提供する。【解決手段】反転可能な円弧状の反転部Ｒと、反転部に取りつけられた櫛歯１と、櫛歯の先端に取付けられたストッパー部１’と、長手部Ｌと側部Ｓとからなるコの字形状の本体部Ｂと、反転部が反転可能に本体部の側部の両端と連結されてなるかつら用留め具において、櫛歯に弾性体であるチューブカバーＴＣが移動可能に装着され、ストッパー部により、装着されたチューブカバーが櫛歯の先端から抜け落ちるのを防止すると共に、反転部を反転させることにより、櫛歯を本体部の長手部と接触した状態及び離間した状態にすることができる。【選択図】図９
0003221833.tif 000002
【実用新案登録請求の範囲】
【請求項１】
反転可能な円弧状の反転部Ｒと、反転部に取りつけられた櫛歯１と、櫛歯１の先端に取付けられたストッパー部１’と、長手部Ｌと側部Ｓとからなるコの字形状の本体部Ｂと、反転部Ｒが反転可能に本体部Ｂの側部Ｓの両端と連結されてなるかつら用留め具１００において、
櫛歯１に弾性体であるチューブカバーＴＣが移動可能に装着されてなると共に、ストッパー部１’により、装着されたチューブカバーＴＣが櫛歯１の先端から抜け落ちるのを防止すると共に、反転部Ｒを反転させることにより、櫛歯１が、本体部Ｂの長手部Ｌと接触した状態及び離間した状態にすることができることを特徴とするかつら用留め具１００。
【請求項２】
ストッパー部１’、櫛歯１の横断面の外形が円形状であり、チューブカバーＴＣが円管状であり、かつ、（１）式及び（２）を具備してなることを特徴とするかつら用留め具１００。
Ｄ１’＞Ｄｉ＞Ｄ……（１）式
ここに、Ｄ１’：ストッパー部１の外径（ｍｍ）
Ｄ：櫛歯１の外径（ｍｍ）
Ｄｉ：チューブカバーＴＣの内径（ｍｍ）
σ＝Ｅ×ε……（２）式
ここに、σ：チューブカバーＴＣの応力（ｋｇ重／ｍｍ２）
Ｅ：チューブカバーＴＣのヤング率（ｋｇ重／ｍｍ２）
ε：チューブカバーＴＣの歪（無次元）、ε＝（Ｄ１’−Ｄｉ）／  Ｄｉで与えられる
ことを特徴とする請求項１に記載されたかつら用留め具１００。
【請求項３】
チューブカバーＴＣがシリコンのチューブカバーＴＣであることを特徴とする請求項１〜２の何れかに記載されたかつら用留め具１００。
【請求項４】
チューブカバーＣ（シリコン製の半透明のチューブ）を一つ置きに櫛歯１に装着してなることを特徴とする請求項１〜３の何れかに記載されたかつら用留め具１００。
【考案の詳細な説明】
【技術分野】
【０００１】
本考案は、かつら用留め具に関する。
【背景技術】
【０００２】
かつら使用者が、かつらを頭部に装着した後、留め具の櫛歯を開く状態にして、使用者の毛髪を櫛歯と本体との間に挿入した後、反転部を反転させて、毛髪を櫛歯と本体部とで挟み込んで保持させるが、従来技術は、かつらをより安定して頭部に固定することができるかつら用留め具実現できていないという欠点があった。
【考案の開示】
【０００３】
考案者は、かかる従来技術の欠点に鑑み鋭意研究した結果、本考案を完成させた。
【先行技術文献】
【特許文献】
【０００４】
本願考案に係るかつら用留め具１００について、ＦＩ、キーワード検索を行ったところ、本件考案（請求項１〜３に記載された発明）に近い考案等記載文献は、発見されませんでしたので、特許文献の記載は省略する。
【考案の概要】
【考案が解決しようとする課題】
【０００５】
○本考案が解決しようとする第１課題
本考案が解決しようとする第１課題は、
かつら使用者が、かつらを頭部に装着した後、留め具の櫛歯を開く状態にして、使用者の毛髪を櫛歯と本体との間に挿入した後、反転部を反転させて、毛髪を櫛歯と本体部とで挟み込んで保持させるが、従来技術より、かつらをより安定して頭部に固定することができるかつら用留め具１００を提供することである。
○本考案が解決しようとする第２課題
本考案が解決しようとする第２課題は、
かつらをより安定して頭部に固定するための手段を簡便に装着したかつら用留め具１００を提供することである。
○本考案が解決しようとする第３課題
本考案が解決しようとする第３課題は、
かつらをより安定して頭部に固定するために櫛歯に滑り留めチューブを簡便に装着したかつら用留め具１００を提供することである。
本考案が解決しようとする第４課題は、
チューブカバーの部品使用を制限し、チューブカバーの櫛歯への装着工程を省いて低コスト化、省力化を図った、櫛歯に滑り留めチューブを簡便に装着したかつら用留め具１００を提供することである。
【課題を解決するための手段】
【０００６】
課題を解決するための手段は、本願の［実用新案登録請求の範囲］の各請求項に記載の考案である。
実用新案登録請求の範囲、明細書、図面等の用語の解釈上の疑義を解消すべく、以下用語の説明を行うこととする。
＜用語の説明＞
●かつら用留め具１００とは、反転可能な円弧状の反転部Ｒと、反転部に取りつけられた櫛歯１と、櫛歯１の先端に取付けられたストッパー部１’と、長手部Ｌと側部Ｓとからなるコの字形状の本体部Ｂとから構成されている。そして反転部Ｒが反転可能に本体部Ｂの側部Ｓの両端と連結されてなる。
すなわち、かつら用留め具１００とは、反転可能な円弧状の反転部Ｒと、反転部に取りつけられた櫛歯１と、櫛歯１の先端に取付けられたストッパー部１’と、（コの字形状の）本体部Ｂとから構成されている。そして反転部Ｒが反転可能に本体部Ｂの側部Ｓの両端と連結されてなる。
●本体部Ｂは、長手部Ｌと２つの側部Ｓとからなるコの字形状の部分をいう。
●反転部Ｒとは、本体部Ｂの両側板の両端と連結されてなる反転可能な円弧状の部分をいう。
●櫛歯１とは、髪の毛をすいたり、髪に挿してかつらを髪に留めるための歯をいう。櫛歯１は、歯の１本をいう。歯の集合体は櫛という。
●ストッパー部１’とは、櫛歯１の先端に取付けられた部材であって、装着されたチューブカバーＴＣが櫛歯１の先端から抜け落ちるのを防止するための部材である。
●長手部Ｌとは、コの字形状の本体部Ｂを構成する中央の部材をいう。
●側部Ｓとは、コの字形状の本体部Ｂを構成する両側の部材をいう。
●弾性体とは、力を加えていると変形するが，力を除くともとに戻る物体をいう。すなわち，弾性限度内の変形を受けている物体をいう。
本考案において、弾性体とは、チューブカバーＴＣをいう。
チューブカバーＴＣの中に、ストッパー部１’をチューブカバーＴＣの内径ＤｉをＤ１’まで拡大させながら外力Ｆを加えながら挿入し続け、ストッパー部１’が、チューブカバーＴＣ内を通過し終えたら、櫛歯１に弾性体であるチューブカバーＴＣが移動可能に装着されてなる状態にする。チューブカバーＴＣが挿入した方向と逆方向に移動しても、チューブカバーＴＣの管端がストッパー部１’の表面に当たって逆方向に移動することが制限される。
●チューブカバーＴＣとは、櫛歯１が、本体部Ｂの長手部Ｌと接触した状態にあって、櫛歯１と長手部Ｌとで髪の毛を確実に挟持するために櫛歯１に被せてなるチューブ部材である。
●移動可能に装着されてなるとは、チューブカバーＴＣの内径Ｄｉ（ｍｍ）が、櫛歯１の外径Ｄ（ｍｍ）がやや大きくて、チューブカバーＴＣに応力σ（ｋｇ重／ｍｍ２）が掛かっていない状態で、抵抗なく、チューブカバーＴＣが、櫛歯１の外側を移動できるように装着した状態をいう。
●ストッパー部１’とは、櫛歯１に弾性体であるチューブカバーＴＣが移動可能に装着された状態にあって、チューブカバーＴＣが挿入した方向と逆方向に移動しても、チューブカバーＴＣの管端がストッパー部１’に当たって逆方向に移動することが制限される（図１６）。
ストッパー部１’は、装着されたチューブカバーＴＣが櫛歯１の先端から抜け落ちるのを防止するための部材である。
●反転部Ｒを反転させるとは、円弧状の反転部Ｒの凸面から凹面方向に垂直力Ｐ（ｋｇ重）を作用させ、垂直力Ｐを増やしていけば、反転部Ｒは、座屈応力σｃｒ（ｋｇ重／ｍｍ２）を生じ、座屈して大きな歪εｃｒ、すなわち大きな変位を生ずることとなり、円弧状の反転部Ｒの凸面が凹面に凹面が凸面に反転させることをいう。
●櫛歯１が、本体部Ｂの長手部Ｌと接触した状態とは、櫛歯１と本体部Ｂの長手部Ｌとが髪の毛を挟持している状態（単に、使用状態ともいう。）をいう。
●一つ置きに櫛歯１に装着してなるとは、櫛歯１は、反転部に、規則正しく並行に整列した状態（順に、１１、１２、１３、…という。）で、取付けられてなるが、
１１に取付けられた場合、１１、１３、１５、…に取付けてなり、１１に取付けられない場合、１２、１４、１６、……に取付けてなるの意味合いである。
＊＊＊＊＊＊＊＊＊＊＊＊＊＊＊＊＊＊＊＊＊＊＊＊＊＊＊＊＊＊＊＊＊＊＊
＜反転部Ｒを反転させる仕組みについて＞
図１７に基づいて説明する。
点Ｐ０は、本体Ｂとの接続点であるが、本体Ｂは反転部Ｒより剛性が大きいので固定点と見做している。そして、固定部Ｐ０と反転部Ｒとは剛接合されてなる。
反転部Ｒが、本体部Ｂより、図面視下方にあって、大きな変位を生じている状態を表している（すなわち、使用前状態の開いた状態を表している。）。この状態で、垂直力Ｐ（ｋｇ重）を反転部Ｒに、垂直力Ｐ／２（ｋｇ重）を固定部Ｒに作用させる（図１７（Ａ）図）。
この状態で、垂直力Ｐ（ｋｇ重）、垂直力Ｐ／２（ｋｇ重）を、徐々に増やしていけば、反転部Ｒは、座屈応力σｃｒ（ｋｇ重／ｍｍ２）を生じ、座屈して大きな歪εｃｒ、すなわち大きな変位を生ずる（図１７（Ｂ）図）。
この状態では、かつら用留め具１００は、使用前状態の開いた状態にあり、櫛歯１は本体部Ｂの長手部Ｌと離間した状態にある。
座屈して大きな歪εｃｒ、すなわち大きな変位を生ずることにより、一瞬にして、図１７（Ｂ）図に表された状態から、図１７（Ｃ）図に表された状態に移行する（図１７（Ｃ）図）。図１７（Ｂ）図に表された状態から、図１７（Ｃ）図に表された状態に移行する間に、使用前状態の開いた状態から、使用状態に一瞬に移行する。
すなわち、櫛歯１は本体部Ｂの長手部Ｌと離間した状態から、櫛歯１が、本体部Ｂの長手部Ｌと接触した状態に、一瞬にして移行する。
＊＊＊＊＊＊＊＊＊＊＊＊＊＊＊＊＊＊＊＊＊＊＊＊＊＊＊＊＊＊＊＊＊＊＊
＜チューブカバーの櫛歯への装着工程について＞
以下、チューブカバーの櫛歯への装着工程におけるステップ１〜ステップ４について説明する。
図１１は、櫛歯１とストッパー部１’と  チューブカバーＴＣを表している。図１１（Ａ）図は、チューブカバーＴＣを表し図１１（Ｂ）図は、櫛歯１とストッパー部１’を表している。
●ステップ１
［図１２］、［図１１］に基づいて説明する。
図面視左側にある櫛歯１とストッパー部１’に対して、図面の矢印方向にチューブカバーＴＣを移動させる。
ここに、
Ｄ１’：ストッパー部１の外径（ｍｍ）
Ｄ：櫛歯１の外径（ｍｍ）
Ｄｉ：チューブカバーＴＣの内径（ｍｍ）
●ステップ２
［図１３］に基づいて説明する。
図面視左側のストッパー部１’に対して、チューブカバーＴＣの左側先端部が接触したら、チューブカバーＴＣの内径Ｄｉ（ｍｍ）をストッパー部１の外径Ｄ１’（ｍｍ）まで拡径する（図１３）。
チューブカバーＴＣの内径Ｄｉ（ｍｍ）をストッパー部１の外径Ｄ１’（ｍｍ）になった場合、
チューブカバーＴＣの応力σ（ｋｇ重／ｍｍ２）は、（２）式で与えられる。
σ＝Ｅ×ε……（２）式
ここに、σ：チューブカバーＴＣの応力（ｋｇ重／ｍｍ２）
Ｅ：チューブカバーＴＣのヤング率（ｋｇ重／ｍｍ２）
ε：チューブカバーＴＣの歪（無次元）、ε＝（Ｄ１’−Ｄｉ）／  Ｄｉ
そして、チューブカバーＴＣの中に櫛歯１とストッパー部１’を挿入すべく、チューブカバーＴＣを引っ張り込む。
●ステップ３
［図１４］に基づいて説明する。
チューブカバーＴＣの応力σ（ｋｇ重／ｍｍ２）は、（２）式で与えられる。
σ＝Ｅ×ε……（２）式
ここに、σ：チューブカバーＴＣの応力（ｋｇ重／ｍｍ２）
Ｅ：チューブカバーＴＣのヤング率（ｋｇ重／ｍｍ２）
ε：チューブカバーＴＣの歪（無次元）、ε＝（Ｄ１’−Ｄｉ）／Ｄｉ
そして、チューブカバーＴＣの中に櫛歯１とストッパー部１’を挿入すべく、チューブカバーＴＣを引っ張り込む。
●ステップ５
チューブカバーＴＣの中に櫛歯１とストッパー部１’を挿入すべく、チューブカバーＴＣを引っ張り込んだ結果、チューブカバーＴＣが櫛歯１に装着される。これにより、チューブカバーの櫛歯への装着工程は完了する。
＊＊＊＊＊＊＊＊＊＊＊＊＊＊＊＊＊＊＊＊＊＊＊＊＊＊＊＊＊＊＊＊＊＊＊
＜装着されたチューブカバーＴＣが櫛歯１の先端から抜け落ちるのを防止する方法について＞
ストッパー部１’により、装着されたチューブカバーＴＣが櫛歯１の先端から抜け落ちるのを防止していることを図１６に基づいて説明する。
チューブカバーＴＣが櫛歯１に装着された状態から、図面視右側に移動して、ストッパー部１’の点Ｘにおいて接触する。ストッパー部１’の外径Ｄ１’がチューブカバーＴＣの内径Ｄｉより大きいことから、ストッパー部１’は文字通り無ストッパーの役目を果たして、櫛歯１の先端から抜け落ちるのを防止している。
＊＊＊＊＊＊＊＊＊＊＊＊＊＊＊＊＊＊＊＊＊＊＊＊＊＊＊＊＊＊＊＊＊＊＊
課題を解決するための手段は、本願の実用新案登録請求の範囲の各請求項に記載の考案であり、その具体的な解決手段は、以下の通りである。
＜記号の説明＞
Ｄ１’：ストッパー部１の外径（ｍｍ）
Ｄ：櫛歯１の外径（ｍｍ）
Ｄｉ：チューブカバーＴＣの内径（ｍｍ）
σ：チューブカバーＴＣの応力（ｋｇ重／ｍｍ２）
Ｅ：チューブカバーＴＣのヤング率（ｋｇ重／ｍｍ２）
ε：チューブカバーＴＣの歪（無次元）、ε＝（Ｄ１’−Ｄｉ）／Ｄｉで与えられる。
Ｐ：円弧状の反転部Ｒの凸面から凹面方向に作用する垂直力（ｋｇ重）
σｃｒ：反転部Ｒの座屈応力（ｋｇ重／ｍｍ２）
ε：反転部Ｒの歪（無次元）
Ｘ：チューブカバーＴＣの管端がストッパー部１’に当たる点
Ｐ０：固定部
●（１）式
（１）式は、ストッパー部１の外径（ｍｍ）、櫛歯１の外径Ｄ（ｍｍ）、チューブカバーＴＣの内径Ｄｉ（ｍｍ）の寸法の関係を与える式である。
チューブカバーＴＣの中に、ストッパー部１’を弾性体であるチューブカバーＴＣの内径ＤｉをＤ１’まで拡大させながら外力Ｆを加えながら挿入し続け、ストッパー部１’が、チューブカバーＴＣ内を通過し終えたら、櫛歯１に弾性体であるチューブカバーＴＣが移動可能に装着されてなる状態にする。チューブカバーＴＣが挿入した方向と逆方向に移動しても、チューブカバーＴＣの管端がストッパー部１’の断面に当たって逆方向に移動することが制限される。（１）式は、上記の制作を可能にする関係式を与えるものである。
●（２）式
制作にあたっては、チューブカバーＴＣの中に、ストッパー部１’を弾性体であるチューブカバーＴＣの内径ＤｉをＤ１’まで拡大させながら外力Ｆを加えながら挿入し続け、ストッパー部１’が、チューブカバーＴＣ内を通過し終えたら、櫛歯１に弾性体であるチューブカバーＴＣが移動可能に装着されてなる状態にする必要がある。
上記制作においては、弾性体であるチューブカバーＴＣの内径ＤｉをＤ１’まで拡大させる際、チューブカバーＴＣが弾性体であることを保持する必要がある。
（２）式は、性体であるチューブカバーＴＣの内径ＤｉをＤ１’まで拡大させる際、チューブカバーＴＣが弾性体であることを保持するための条件を、フックの法則を使った関係式で表したものである。
○第１の考案（請求項１に記載の考案）  
上記の課題を解決するための第１の考案（請求項１に記載の考案）は、
反転可能な円弧状の反転部Ｒと、反転部に取りつけられた櫛歯１と、櫛歯１の先端に取付けられたストッパー部１’と、長手部Ｌと側部Ｓとからなるコの字形状の本体部Ｂと、反転部Ｒが反転可能に本体部Ｂの側部Ｓの両端と連結されてなるかつら用留め具１００において、
櫛歯１に弾性体であるチューブカバーＴＣが移動可能に装着されてなると共に、ストッパー部１’により、装着されたチューブカバーＴＣが櫛歯１の先端から抜け落ちるのを防止すると共に、反転部Ｒを反転させることにより、櫛歯１が、本体部Ｂの長手部Ｌと接触した状態及び離間した状態にすることができることを特徴とするかつら用留め具１００である。
○第２の考案（請求項２に記載の考案）  
上記の課題を解決するための第２の考案（請求項２に記載の考案）は、
ストッパー部１’、櫛歯１の横断面の外形が円形状であり、チューブカバーＴＣが円管状であり、かつ、（１）式及び（２）を具備してなることを特徴とするかつら用留め具１００。
Ｄ１’＞Ｄｉ＞Ｄ……（１）式
ここに、Ｄ１’：ストッパー部１の外径（ｍｍ）
Ｄ：櫛歯１の外径（ｍｍ）
Ｄｉ：チューブカバーＴＣの内径（ｍｍ）
σ＝Ｅ×ε……（２）式
ここに、σ：チューブカバーＴＣの応力（ｋｇ重／ｍｍ２）
Ｅ：チューブカバーＴＣのヤング率（ｋｇ重／ｍｍ２）
ε：チューブカバーＴＣの歪（無次元）、ε＝（Ｄ１’−Ｄｉ）／Ｄｉで与えられる
ことを特徴とする請求項１に記載されたかつら用留め具１００である。
○第３の考案（請求項３に記載の考案）
上記の課題を解決するための第３の考案（請求項３に記載の考案）は、
チューブカバーＴＣがシリコンのチューブカバーＴＣであることを特徴とする請求項１〜２の何れかに記載されたかつら用留め具１００である。
○第４の考案（請求項４に記載の考案）
上記の課題を解決するための第４の考案（請求項４に記載の考案）は、
チューブカバーＣ（シリコン製の半透明のチューブ）を一つ置きに櫛歯１に装着してなることを特徴とする請求項１〜３の何れかに記載されたかつら用留め具１００である。
【考案の効果】
【０００７】
本考案に係る、かつら用留め具１００は、上記のような特徴的構成要件から構成され、特徴的構成要件に応じた、以下のような本願考案特有の効果を奏する。
また、上記の各考案に応じた、上記のような特徴的構成要件から構成されたかつら用留め具１００によれば、本願考案の課題を十分解消することができた。
○第１の考案の効果
第１の考案によれば、
反転可能な円弧状の反転部Ｒと、反転部に取りつけられた櫛歯１と、櫛歯１の先端に取付けられたストッパー部１’と、長手部Ｌと側部Ｓとからなるコの字形状の本体部Ｂと、反転部Ｒが反転可能に本体部Ｂの側部Ｓの両端と連結されてなるかつら用留め具１００において、
櫛歯１に弾性体であるチューブカバーＴＣが移動可能に装着されてなると共に、ストッパー部１’により、装着されたチューブカバーＴＣが櫛歯１の先端から抜け落ちるのを防止すると共に、反転部Ｒを反転させることにより、櫛歯１が、本体部Ｂの長手部Ｌと接触した状態及び離間した状態にすることができることという特徴的な構成要件により、本考案が解決しようとする第１課題〜第４課題を達成することができ、当業者予測不可能な顕著な効果を奏することができた。
○第２の考案の効果
第２の考案によれば、
ストッパー部１’、櫛歯１の横断面の外形が円形状であり、チューブカバーＴＣが円管状であり、かつ、（１）式及び（２）を具備してなることを特徴とするかつら用留め具１００。
ストッパー部１’、櫛歯１の横断面の外形が円形状であり、チューブカバーＴＣが円管状であり、かつ、（１）式及び（２）を具備してなることを特徴とするかつら用留め具１００。
Ｄ１’＞Ｄｉ＞Ｄ……（１）式
ここに、Ｄ１’：ストッパー部１の外径（ｍｍ）
Ｄ：櫛歯１の外径（ｍｍ）
Ｄｉ：チューブカバーＴＣの内径（ｍｍ）
σ＝Ｅ×ε……（２）式
ここに、σ：チューブカバーＴＣの応力（ｋｇ重／ｍｍ２）
Ｅ：チューブカバーＴＣのヤング率（ｋｇ重／ｍｍ２）
ε：チューブカバーＴＣの歪（無次元）、ε＝（Ｄ１’−Ｄｉ）／Ｄｉで与えられる
ことという特徴的な構成要件により、本考案が解決しようとする第１課題〜第４課題を達成することができ、当業者予測不可能な顕著な効果を奏することができた。
○第３の考案の効果
第３の考案によれば、
チューブカバーＴＣがシリコンのチューブカバーＴＣであることという特徴的な構成要件により、本考案が解決しようとする第１課題〜第４課題を達成することができ、当業者予測不可能な顕著な効果を奏することができた。
○第４の考案の効果
第４の考案によれば、
チューブカバーＣ（シリコン製の半透明のチューブ）を一つ置きに櫛歯１に装着してなることという特徴的な構成要件により、本考案が解決しようとする第１課題〜第４課題を達成することができ、当業者予測不可能な顕著な効果を奏することができた。
【考案を実施するための最良の形態】
【０００８】
以下、本考案に係る、かつら用留め具１００に関する最良の実施形態について、図面を参照しながら説明する。
［図１］図１は、本考案に係る、かつら用留め具１００の斜視図である。
［図２］図２は、本考案に係る、かつら用留め具１００の正面図である。
［図３］図３は、本考案に係る、かつら用留め具１００の背面図である。
［図４］図４は、本考案に係る、かつら用留め具１００の平面図である。
［図５］図５は、本考案に係る、かつら用留め具１００の底面図である。
［図６］図６は、本考案に係る、かつら用留め具１００の右側面図である。
［図７］図７は、本考案に係る、かつら用留め具１００の左側面図である。
［図８］図８は、本考案に係る、かつら用留め具１００の閉じた状態を表す斜視図である。
［図９］図９は、本考案に係る、かつら用留め具１００の構成部品を表す斜視図である。
［図１０］図１０は、［図２］の正面図のＡ−Ａ線切断部断面図である。
［図１１］図１１は、櫛歯１とストッパー部１’と  チューブカバーＴＣを表す図である。（Ａ）図は、チューブカバーＴＣを表す図である。（Ｂ）図は、櫛歯１とストッパー部１’を表す図である。
［図１２］図１２は、チューブカバーＴＣを櫛歯１に装着するステップ１の工程を表す図である。
［図１３］図１３は、チューブカバーＴＣを櫛歯１に装着するステップ２の工程を表す図である。
［図１４］図１４は、チューブカバーＴＣを櫛歯１に装着するステップ３の工程を表す図である。
［図１５］図１５は、チューブカバーＴＣを櫛歯１に装着するステップ４の工程を表す図である。
［図１６］図１６は、チューブカバーＴＣが櫛歯１の先端から抜け落ちるのを防止する仕組みを表す図である。
［図１７］図１７は、反転部Ｒを反転させる仕組みを説明するための図である。
以下、本考案に係る、かつら用留め具１００について、図面を参照しながら説明する。
１１１１１＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のかつら用留め具１００において、
反転可能な円弧状の反転部Ｒと、反転部に取りつけられた櫛歯１と、櫛歯１の先端に取付けられたストッパー部１’と、長手部Ｌと側部Ｓとからなるコの字形状の本体部Ｂと、反転部Ｒが反転可能に本体部Ｂの側部Ｓの両端と連結されてなるかつら用留め具１００において、
櫛歯１に弾性体であるチューブカバーＴＣが移動可能に装着されてなると共に、ストッパー部１’により、装着されたチューブカバーＴＣが櫛歯１の先端から抜け落ちるのを防止すると共に、反転部Ｒを反転させることにより、櫛歯１が、本体部Ｂの長手部Ｌと接触した状態及び離間した状態にすることができること
を特徴とするかつら用留め具１００が開示されている。
○第１の考案の効果
第１の考案によれば、
反転可能な円弧状の反転部Ｒと、反転部に取りつけられた櫛歯１と、櫛歯１の先端に取付けられたストッパー部１’と、長手部Ｌと側部Ｓとからなるコの字形状の本体部Ｂと、反転部Ｒが反転可能に本体部Ｂの側部Ｓの両端と連結されてなるかつら用留め具１００において、
櫛歯１に弾性体であるチューブカバーＴＣが移動可能に装着されてなると共に、ストッパー部１’により、装着されたチューブカバーＴＣが櫛歯１の先端から抜け落ちるのを防止すると共に、反転部Ｒを反転させることにより、櫛歯１が、本体部Ｂの長手部Ｌと接触した状態及び離間した状態にすることができることという特徴的な構成要件により、本考案が解決しようとする第１課題〜第４課題を達成することができ、当業者予測不可能な顕著な効果を奏することができた。
２２２２２＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のかつら用留め具１００において、
ストッパー部１’、櫛歯１の横断面の外形が円形状であり、チューブカバーＴＣが円管状であり、かつ、（１）式及び（２）を具備してなることを特徴とするかつら用留め具１００。
Ｄ１’＞Ｄｉ＞Ｄ……（１）式
ここに、Ｄ１’：ストッパー部１の外径（ｍｍ）
Ｄ：櫛歯１の外径（ｍｍ）
Ｄｉ：チューブカバーＴＣの内径（ｍｍ）
σ＝Ｅ×ε……（２）式
ここに、σ：チューブカバーＴＣの応力（ｋｇ重／ｍｍ２）
Ｅ：チューブカバーＴＣのヤング率（ｋｇ重／ｍｍ２）
ε：チューブカバーＴＣの歪（無次元）、ε＝（Ｄ１’−Ｄｉ）／Ｄｉで与えられる
ことを特徴とする請求項１に記載されたかつら用留め具１００が開示されている。
○第２の考案の効果
第２の考案によれば、
ストッパー部１’、櫛歯１の横断面の外形が円形状であり、チューブカバーＴＣが円管状であり、かつ、（１）式及び（２）を具備してなることを特徴とするかつら用留め具１００。
Ｄ１’＞Ｄｉ＞Ｄ……（１）式
ここに、Ｄ１’：ストッパー部１の外径（ｍｍ）
Ｄ：櫛歯１の外径（ｍｍ）
Ｄｉ：チューブカバーＴＣの内径（ｍｍ）
σ＝Ｅ×ε……（２）式
ここに、σ：チューブカバーＴＣの応力（ｋｇ重／ｍｍ２）
Ｅ：チューブカバーＴＣのヤング率（ｋｇ重／ｍｍ２）
ε：チューブカバーＴＣの歪（無次元）、ε＝（Ｄ１’−Ｄｉ）／Ｄｉで与えられる
ことという特徴的な構成要件により、本考案が解決しようとする第１課題〜第４課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のかつら用留め具１００において、
チューブカバーＴＣがシリコンのチューブカバーＴＣであることを特徴とする請求項１〜２の何れかに記載されたかつら用留め具１００が開示されている。
○第３の考案の効果
第３の考案によれば、
チューブカバーＴＣがシリコンのチューブカバーＴＣであることという特徴的な構成要件により、本考案が解決しようとする第１課題〜第４課題を達成することができ、当業者予測不可能な顕著な効果を奏することができた。
３３３３３＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊＊
上記のかつら用留め具１００において、
チューブカバーＣ（シリコン製の半透明のチューブ）を一つ置きに櫛歯１に装着してなることを特徴とする請求項１〜３の何れかに記載されたかつら用留め具１００が開示されている。
○第４の考案の効果
第４の考案によれば、
チューブカバーＣ（シリコン製の半透明のチューブ）を一つ置きに櫛歯１に装着してなることという特徴的な構成要件により、本考案が解決しようとする第１課題〜第４課題を達成することができ、当業者予測不可能な顕著な効果を奏することができた。
【図面の簡単な説明】
【０００９】
【図１】図１は、本考案に係る、かつら用留め具１００の斜視図である。
【図２】図２は、本考案に係る、かつら用留め具１００の正面図である。
【図３】図３は、本考案に係る、かつら用留め具１００の背面図である。
【図４】図４は、本考案に係る、かつら用留め具１００の平面図である。
【図５】図５は、本考案に係る、かつら用留め具１００の底面図である。
【図６】図６は、本考案に係る、かつら用留め具１００の右側面図である。
【図７】図７は、本考案に係る、かつら用留め具１００の左側面図である。
【図８】図８は、本考案に係る、かつら用留め具１００の閉じた状態を表す斜視図である。
【図９】図９は、本考案に係る、かつら用留め具１００の構成部品を表す斜視図である。
【図１０】図１０は、［図２］の正面図のＡ−Ａ線切断部断面図である。
【図１１】図１１は、櫛歯１とストッパー部１’と  チューブカバーＴＣを表す図である。（Ａ）図は、チューブカバーＴＣを表す図である。（Ｂ）図は、櫛歯１とストッパー部１’を表す図である。
【図１２】図１２は、チューブカバーＴＣを櫛歯１に装着するステップ１の工程を表す図である。
【図１３】図１３は、チューブカバーＴＣを櫛歯１に装着するステップ２の工程を表す図である。
【図１４】図１４は、チューブカバーＴＣを櫛歯１に装着するステップ３の工程を表す図である。
【図１５】図１５は、チューブカバーＴＣを櫛歯１に装着するステップ４の工程を表す図である。
【図１６】図１６は、チューブカバーＴＣが櫛歯１の先端から抜け落ちるのを防止する仕組みを表す図である。
【図１７】図１７は、反転部Ｒを反転させる仕組みを説明するための図である。
【符号の説明】
【００１０】
１００……かつら用留め具
Ｂ……本体部
Ｒ……反転部
１……櫛歯
１’……ストッパー部
Ｌ……長手部
Ｓ……側部
ＴＣ……チューブカバー
Ｘ……チューブカバーＴＣの管端がストッパー部１’に当たる点
Ｐ０……固定部
【図１】
0003221833.tif 000003
【図２】
0003221833.tif 000004
【図３】
0003221833.tif 000005
【図４】
0003221833.tif 000006
【図５】
0003221833.tif 000007
【図６】
0003221833.tif 000008
【図７】
0003221833.tif 000009
【図８】
0003221833.tif 000010
【図９】
0003221833.tif 000011
【図１０】
0003221833.tif 000012
【図１１】
0003221833.tif 000013
【図１２】
0003221833.tif 000014
【図１３】
0003221833.tif 000015
【図１４】
0003221833.tif 000016
【図１５】
0003221833.tif 000017
【図１６】
0003221833.tif 000018
【図１７】
0003221833.tif 000019